(57)【特許請求の範囲】
【請求項１】
フロントパネルにトレー出入口が形成されたディスク装置本体と、
ディスク状記録媒体を上記トレー出入口から上記ディスク装置本体内にローディング及びアンローディングするディスクトレーを備えたディスク装置において、
上記ディスクトレーは合成樹脂にて成形されたトレー本体とトレーフロントパネルとを備えて構成され、
上記トレーフロントパネルの背面にこのトレーフロントパネルを上記トレー本体の前端に脱着可能に嵌合させる嵌合部を設け、
上記ディスクトレーが上記ディスク装置本体内にローディング完了された時に、上記トレーフロントパネルの上記嵌合部が上記トレー出入口の内周内に位置され、該嵌合部にはその外周に環状に取り付けられた環状弾性体を備えた
ことを特徴とするディスク装置。
【請求項２】
上記環状弾性体の剪断面形状が丸形に形成されている
ことを特徴とする請求項１記載のディスク装置。
【請求項３】
上記ディスクトレーは合成樹脂にて成形されたトレー本体とトレーフロントパネルとを備えて構成され、
上記嵌合部は上記トレーフロントパネルを上記トレー本体の前端に上記ローディング及びアンローディング方向に対して直角な方向から脱着可能に嵌合させる嵌合部に構成され、
上記剪断面形状が丸形の環状弾性体は上記トレーフロントパネルの背面で、上記嵌合部の外周のに巻き付けられて、その嵌合部の外周を密封しつつ上記トレー出入口を内側から密封するように構成された
ことを特徴とする請求項２記載のディスク装置。
【請求項４】
請求項１記載のディスク装置がコンピュータ本体のフロントパネルの内側に組み込まれ、
上記ディスク装置の上記フロントパネルの上記トレー出入口の下部に形成された吸気口が上記コンピュータ本体のフロントパネル外側に開口され、
上記コンピュータ本体内の空気を外部へ排出する排気用ファンを備えた
ことを特徴とするコンピュータ装置。
【発明の詳細な説明】
【０００１】
【発明の属する技術分野】
本発明は、光ディスク等のディスク状記録媒体をディスクトレーによってローディング及びアンローディングするようにした光ディスク装置等に適用するのに最適なディスク装置の技術分野に属するものである。
【０００２】
【従来の技術】
ここで、本発明の出願人が先に出願しているこの種光ディスク装置を図１８〜図３１によって説明する。即ち、図１８に示すように、ディスク状記録媒体である光ディスク１をディスクトレー２のトレー本体２Ａの上面に形成された凹所３内に水平に載置した後に、ディスクトレー２のトレーフロントパネル２Ｂを矢印ａ方向に軽く押すと、ローディングスイッチ（図示せず）がＯＮとなり、後述するローディング機構によって、図１９に示すように、ディスクトレー２がトレー出入口４から光ディスク装置５のディスク装置本体６内にローディング方向である矢印ａ方向から水平に引き込まれて、後述するように光ディスク１がスピンドルモータのディスクテーブル上に水平に自動的にローディングされる。
【０００３】
そして、このローディング後に、ホストコンピュータからの記録及び／又は再生指令信号等によって、スピンドルモータによって光ディスク１が高速で回転駆動され、光学ピックアップによって光ディスク１にデータが記録及び／又は再生される。そして、この光ディスク１の再生後に、ホストコンピュータからのイジェクト指令信号等によって、図１８に示すように、ディスクトレー２がトレー出入口４からディスク装置本体６外にアンローディング方向である矢印ａ′方向に自動的にアンローディングされる。
【０００４】
次に、図２０〜図２６に示すように、まずディスクトレー２の水平なトレー本体２Ａと、矢印ａ、ａ′方向に対して直角で、かつ、垂直状のトレーフロントパネル２Ｂは合成樹脂等によって成形されていて、トレー本体２Ａの凹所３の中央部から後端部（矢印ａ方向側の端部）側にかけてローディング及びアンローディング方向である矢印ａ、ａ′方向と平行なトレーセンターＰ1 に沿った長穴状の底面開口８が形成されている。また、このトレー本体２Ａの左右両側縁にはトレーセンターＰ1 と平行で、水平な左右一対のガイドレール９が一体に成形されている。そして、このトレー本体２Ａの底面の一側部にはほぼＪ形で、平行状のラック１０及びガイド溝１１が一体に成形されている。なお、これらラック１０及びガイド溝１１の直線部１０ａ、１１ａはトレーセンターＰ1 と平行に形成されていて、フロントパネル２ａ側の端部に円弧部１０ｂ、１１ｂが形成されている。
【０００５】
次に、ディスク装置本体６の内部には合成樹脂等によって成形されたほぼ箱型で浅いシャーシ１４が設けられていて、ディスクトレー２の左右一対のガイドレール９がこのシャーシ１４の左右両側板１４ａの内側及び底部１４ｂ上に一体成形されている複数のガイドリブ１５Ａ、１５Ｂ、１５Ｃによって案内されて矢印ａ、ａ′方向に水平にスライドされるように構成されている。そして、このシャーシ１４の底部１４ｂ上に合成樹脂や板金等によって成形された昇降フレーム１６が取り付けられている。この昇降フレーム１６には、後端部１６ａ側の左右両側の２箇所と、前端部１６ｂ側の中央部との３箇所にインシュレータ取付部１７、１８が一体に成形されていて、これらのインシュレータ取付部１７、１８にゴム等の弾性部材で構成された緩衝器である３つのインシュレータ１９、２０が取り付けられている。
【０００６】
そして、昇降フレーム１６の後端部１６ａに取り付けられた左右一対のゴム製のインシュレータ１９がこれらの中央に挿通された止ネジ２１によってシャーシ１４の底部１４ｂ上に取り付けられて、昇降フレーム１６の前端部１６ｂに取り付けられた１つのインシュレータ２０がその中央に挿通された止ネジ２２によって昇降駆動レバー２３の先端上に取り付けられている。なお、この昇降駆動レバー２３はトレーセンターＰ1 に対して直角状に配置されていて、その昇降駆動レバー２３の基部が左右一対の水平な支点ピン２４によってシャーシ１４の底部１４ｂ上に上下方向である矢印ｂ、ｂ′方向に回転自在に取り付けられている。従って、昇降駆動レバー２３によって、昇降フレーム１６がその後端部１６ａ側の左右一対のインシュレータ１９を回動支点にした上下方向の回転運動によって矢印ｃ、ｃ′方向に昇降駆動されるように構成されている。なお、この昇降フレーム１６の上面には浅い凹所２５が形成されている。
【０００７】
そして、ローディング機構２７は、シャーシ１４の底部１４ｂ上で、昇降フレーム１６の前端部１６ｂ側の一側部に取り付けられている。そして、このローディング機構２７は、ローディングモータ２８と、そのローディングモータ２８によって正逆回転駆動するピニオン２９と、そのピニオン２９の中心軸２９ａを垂直な支点軸３０の周囲に水平面内で矢印ｄ、ｄ′方向に首振り運動させるピニオンレバー３１と、そのピニオンレバー３１によって一対の部分ギア３２を介して駆動されて、垂直な支点軸３３の周りに水平面内で矢印ｅ、ｅ′方向に回転駆動されるカムレバー３４と、そのカムレバー３４の支点軸３３の周囲に円弧状に形成されて、上下方向の段差を有するカム溝３５と、昇降駆動レバー２３の先端の一側部に一体に成形されて、カム溝３５内に遊嵌されたカム従動ピン３６とによって構成されている。そして、ピニオン２９がディスクトレー２のラック１０に噛合され、ピニオン２９の中心軸２９ａがガイド溝１１内に遊嵌されている。
【０００８】
そして、このローディング機構２７は、ピニオン２９の中心軸２９ａをディスクトレー２のほぼＪ形のガイド溝１１で誘導することによって、ピニオン２９をディスクトレー２のほぼＪ形のラック１０に沿わせるようにしている。即ち、ディスクトレー２のローディング時には、ローディングモータ２８によって正回転駆動されるピニオン２９でラック１０の直線部１０ａをディスクトレー２の後端部２ｂ側からフロントパネル２ａ側に向けて直線的に駆動することによって、ディスクトレー２を光ディスク装置５内に矢印ａ方向に水平に引き込むものである。そして、ローディングモータ２８によるピニオン２９の引き続きの正回転駆動によって、ピニオン２９をラック１０の円弧部１０ｂに沿って矢印ｄ方向に首振り運動させて、その際に、ピニオンレバー３１によって一対の部分ギア３２を介してカムレバー３４を矢印ｅ方向に回転駆動する。
【０００９】
そして、カムレバー３４のカム溝３５で昇降駆動レバー２３のカム従動ピン３６を上方である矢印ｂ方向に上昇駆動して、その昇降駆動レバー２３でインシュレータ２０を介して昇降フレーム１６を図２４に示す斜め下方に傾斜された下降位置から図２５に示すように上昇されて水平となる上昇位置まで左右一対のインシュレータ１９を中心に矢印ｃ方向に上昇駆動する。そして、ディスクトレー２のアンローディング時には、ローディング時の逆動作で、ローディングモータ２８によって逆回転駆動されるピニオン２９をラック１０の円弧部１０ｂに沿って矢印ｄ′方向に首振り運動させる間に、カムレバー３４を矢印ｅ′方向に回転駆動して、カム溝３５でカム従動ピン３６を下方である矢印ｂ′方向に下降駆動して、昇降駆動レバー２３でインシュレータ２０を介して昇降フレーム１６を左右一対のインシュレータ１９を中心に図２５に示す上昇位置から図２４に示す下降位置まで矢印ｃ′方向に下降駆動する。そして、ローディングモータ２８によるピニオン２９の引き続きの逆回転駆動によって、ピニオン２９でラック１０の直線部１０ａをディスクトレー２のフロントパネル２ａ側から後端部２ｂ側に向けて直線的に駆動するようにして、ディスクトレー２を光ディスク装置５外へ矢印ａ′方向に押し出すものである。
【００１０】
次に、昇降フレーム１６の凹所２５内で、前端部１６ｂ側に偏位された位置にスピンドルモータ３９が垂直状に取り付けられていて、そのモータ軸３９ａの上端に金属等の磁性部材で構成されたディスクテーブル４０が水平状に固着されている。なお、ディスクテーブル４０の上部中央には光ディスク１の中心穴１ａが嵌合されるセンターリングガイド４０ａが一体に形成されている。また、昇降フレーム１６の凹所２５内でスピンドルモータ３９より後方側に光学ピックアップ４１が水平状に取り付けられている。そして、この光学ピックアップ４１は、対物レンズ４２及び光反射型のスキューセンサー４３が上向きで垂直状に取り付けられたキャリッジ４４を有しており、対物レンズ４２に対してレーザービームを送信する光学ブロック４５がそのキャリッジ４４の側面に一体に取り付けられている。
【００１１】
そして、昇降フレーム１６には、キャリッジ４４を左右一対のガイド軸４６に沿って矢印ａ、ａ′方向に直線移動させるキャリッジ移動機構４７が取り付けられていて、このキャリッジ移動機構４７は、キャリッジ駆動モータ４８によってギアトレイン４９を介して正逆回転駆動されるピニオン５０と、キャリッジ４４の一側面に取り付けられて、ピニオン５０によって直線駆動されるラック５１とを備えている。なお、スピンドルモータ３９及び対物レンズ４２はトレーセンターＰ1 上に配置されていて、対物レンズ４２はそのトレーセンターＰ1 に沿って矢印ａ、ａ′方向に移動されるように構成されている。
【００１２】
そして、ディスクトレー２の上部を横切るようにして、シャーシ１４の左右両側板１４ａの上端部間に、板金等にて成形されたクランパー支持部材５２が水平に架設されていて、ディスクテーブル４０の真上位置で、クランパー支持部材５２の中央位置に形成された円形穴５４内に非磁性部材である合成樹脂にて成形された円板状のディスククランパー５３が上下、左右及び前後に一定範囲内で移動自在に保持されている。なお、ディスククランパー５３の上端の外周に一体成形されたフランジ５３ａを下方から受け止めるクランパー受け５２ａがクランパー支持部材５２の円形穴５４の外周に一体に形成されている。そして、このディスククランパー５３の中央上部には円板状のマグネット５５が水平に埋設されている。また、シャーシ１４の上部にはクランパー支持部材５２の上部を跨ぐようにして磁性部材である板金にて成形された後述する上カバー６２が取り付けられている。
【００１３】
従って、図２５に示すように、ディスクトレー２によって光ディスク１がディスク装置本体６内に矢印ａ方向から水平にローディングされた後、昇降フレーム１６が上昇位置まで矢印ｃ方向に上昇されて水平になった時、ディスクテーブル４０がディスクトレー２の底面開口８から上方に挿通されて、そのディスクテーブル４０のセンターリングガイド４０ａが光ディスク１の中心穴１ａに下方から嵌合される。そして、そのディスクテーブル４０によって光ディスク１がディスクトレー２の凹所３内で上方に浮かされると共に、ディスククランパー５３がクランパー支持部材５２のフランジ受け５２ａから上方に僅かに浮上される。この時に、ディスククランパー５３がその下面に近接されたディスクテーブル４０にマグネット５５の磁気吸引力によってディスクテーブル４０上に吸引されて、そのディスククランパー５３によって光ディスク１がディスクテーブル４０上に水平にチャッキングされる。
【００１４】
そして、ホストコンピュータからの記録及び／又は再生指令信号等によって、スピンドルモータ３９によって光ディスク１が高速で回転駆動されると共に、キャリッジ移動機構４７によって光学ピックアップ４１のキャリッジ４４が矢印ａ、ａ′方向に移動されて、対物レンズ４２がトレーセンターＰ1 に沿って矢印ａ、ａ′方向に移動される。そして、光学ブロック４５から送信されるレーザービームが対物レンズ４２によって光ディスク１の下面に照射されると共に、その反射光が対物レンズ４２を通して光学ブロック４５で受信されて、光ディスク１のデータが記録及び／又は再生される。
【００１５】
なお、キャリッジ移動機構４７は、キャリッジ駆動モータ４８によってギアトレイン４９を介して正逆回転駆動されるピニオン５０がラック５１を直線駆動することによって、キャリッジ４４を左右一対のガイド軸４６に沿って矢印ａ、ａ′方向に移動する。そして、光ディスク１の記録及び／又は再生後に、ホストコンピュータからのイジェクト指令信号等によって、図２４に示すように、昇降フレーム１６が下降位置まで矢印ｃ′方向に下降されて、ディスクテーブル４０がディスククランパー５３からチャッキング解除されて光ディスク１の下方に離脱された後に、光ディスク１がディスクトレー２の凹所３内に水平に載置されて、ディスク装置本体６外に矢印ａ′方向に水平にアンローディングされる。
【００１６】
そして、この光ディスク装置５では、図２４に示すように、アンローディング状態では、ディスククランパー５３を自重によって下降させて、その外周のフランジ５３ａをクランパー支持部材５２のクランパー受け５２ａ上に当接させて吊下させていた。そして、その吊下状態で、そのディスククランパー５３の下面とディスクトレー２上の光ディスク１との間にクリアランスＬ1 を確保して、光ディスク１のローディング及びアンローディング時に、光ディスク１がディスククランパー５３と干渉しないように規制していた。従って、この光ディスク装置５では、アンローディング時に、ディスククランパー５３がクランパー支持部材５２からクリアランスＬ2 分下降され、かつ、そのディスククランパー５３と光ディスク１との間にクリアランスＬ1 を確保しなければならないために、クランパー支持部材５２の下面と光ディスク１の上面との間にＬ1 ＋Ｌ2 なる大きなスペースが存在していた。
【００１７】
次に、図２３、図２６〜図２９に示すように、ディスクトレー２をディスク装置本体６内に対して矢印ａ、ａ′方向に水平にスライドさせるためのディスクトレーガイド機構は、ディスクトレー２のトレー本体２Ａにおける左右一対のガイドレール９の底面に形成されたトレーセンターＰ1 と平行な左右一対のスライドガイド溝１２と、シャーシ１４の底部１４ｂ上でその左右両側位置に沿ってトレーセンターＰ1 と平行な２列状に一体成形されていて、左右一対のスライドガイド溝５８がスライド自在に係合された複数のメイン及びサブガイドリブ１５Ａ、１５Ｂと、左右一対のガイドレール９の上部位置に沿わせてシャーシ１４の左右両側板１４ａの内側に一体成形された複数の浮き防止用ガイドリブ１５Ｃとによって構成されている。
【００１８】
そして、ディスクトレー２の幅方向である矢印ａ、ａ′方向に対して直角な横方向（矢印ｇ方向）のガタツキを防止すると共に、ディスクトレー２の高さを規制するための２個のメインガイドリブ１５Ａがシャーシ１４の一側部で、かつ、ディスク装置本体６のフロントパネル６０側であるトレー出入口４に近接された位置に前後方向（矢印ａ、ａ′方向）の小間隔Ｌ11で一列状に配置されている。そして、ディスクトレー２の高さを規制する２個のサブガイドリブ１５Ｂがシャーシ１４の一側部で、２個のメインガイドリブ１５Ａの後方位置からディスク装置本体６のリアパネル６１との間に一列状に配置されると共に、シャーシ１４の他側部でディスク装置本体６のフロントパネル６０とリアパネル６１との間に４個のサブガイドリブ１５Ｂが一列状に配置されている。そして、両スライドガイド溝１２の溝幅Ｗ1 が互いに等しく構成されていて、２個のメインガイドリブ１５Ａの矢印ｇ方向の幅Ｗ2 が両スライドガイド溝１２の溝幅Ｗ1 とほぼ等しく（正確にはＷ2 がＷ1 より僅かに小さい）構成され、サブガイドリブ１５Ｂの矢印ｇ方向の幅Ｗ3 が両スライドガイド溝１２の溝幅Ｗ1 より相当小さく構成されている。
【００１９】
このように構成されたディスクトレーガイド機構によれば、ディスクトレー２及びシャーシ１４の合成樹脂成形時の公差を相当大きくしても、２個のメインガイドリブ１５Ａによってディスクトレー２の幅方向（矢印ｇ方向）のガタツキをある程度防止すると共に、メイン及びサブガイドリブ１５Ａ、１５Ｂによってディスクトレー２の高さを規制しながら、図２７に示すアンローディング位置と図２８に示すローディング位置との間で、ディスクトレー２をスムーズに矢印ａ、ａ′方向にローディング及びアンローディングすることができる。なお、ディスク装置本体６を正常姿勢で水平置きして使用する時には、ディスクトレー２が自重によってメイン及びサブガイドリブ１５Ａ、１５Ｂ上に水平に載置されて安定しているので、複数の浮き防止用ガイドリブ１５Ｃは全く機能しないが、ディスク装置本体６を垂直に立てて使用する際や光ディスク装置５を上下反転させた場合には、これら複数の浮き防止用ガイドリブ１５Ｃがディスクトレー２の倒れ防止用や落下防止用のリブとして機能することになる。
【００２０】
次に、図３０及び図３１は、コンピュータ装置１１０のコンピュータ本体１１１を示したものであって、このコンピュータ本体１１１のフロントパネル１１１ａの内側には、前述した光ディスク装置５、フロッピーディスク装置１１２やハードディスク装置１１３等の複数の記録再生装置が上下複数段に組み込まれている。そして、コンピュータ本体１１１のリアパネル１１１ｂ（又は側面パネル）には排気用ファン１１４が組み込まれていて、この排気用ファン１１４によってコンピュータ本体１１１内の空気を外部へ矢印ｈ方向に排出することによって、このコンピュータ本体１１１内を強制空冷して、その内部温度の上昇を防ぐように構成されている。
【００２１】
そして、図３１は、コンピュータ本体１１１のフロントパネル１１１ａの内側に組み込まれた光ディスク装置５におけるディスク装置本体６のケーシングを示したものであって、合成樹脂によって成形され、トレー出入口４が開口されているフロントパネル６０と、シャーシ４の後端に一体成形されたリアパネル６１と、板金で成形されてシャーシ４の上下に嵌合されてビス止めされた上下カバー６２、６３とによって扁平な箱型のケーシングが組み立てられている。なお、シャーシ１４の下部にはプリント基板６４、６５が下方から水平にビス止めされていて、これらのプリント基板６４、６５の下面に実装された複数の電子回路素子６６と下カバー６３との接触を防ぐように、これらのプリント基板６４、６５と下カバー６３との間には隙間６７が形成されている。
【００２２】
そして、図１９に示すように、フロントパネル６０のトレー出入口４の下部にはイジェクト釦６８、イマージェンシー穴６９、イヤホンジャック挿入穴７０及びボリューム７１等が横一列状に設けられている。そして、これらイジェクト釦６８、イマージェンシー穴６９、イヤホンジャック挿入穴７０及びボリューム７１等は当然のことながら、図３０及び図３１に示すようにコンピュータ本体１１１のフロントパネル１１１ａの前面に露出されている。なお、コンピュータ使用者が手動でイジェクト釦６８を押すことにより、ディスクトレー２を任意にアンローディングすることができ、停電時等の緊急時に、イマージェンシー穴６９に細い棒状部材を押し込むことによって、図２０に示したカムレバー３４を手動で矢印ｅ方向に回転させて、ディスクトレー２を手動でアンローディングすることができる。また、ＣＤの音を聞く時には、イヤホンジャックをイヤホンジャック挿入穴７０内に挿入して、ボリューム７１によってその音量を調整するものである。
【００２３】
従って、図３０及び図３１に示すように、コンピュータ装置１１０の排気用ファン１１４を作動させて、コンピュータ本体１１１内の空気を外部に排出する際、光ディスク装置５のディスク装置本体６内が負圧になって、トレー出入口４のトレーフロントパネル２Ｂとの間の隙間やイジェクト釦６８の取付穴、イマージェンシー穴６９、イヤホンジャック挿入穴７０、ボリューム７１の取付穴等の隙間から外気がディスク装置本体６内に矢印で示すように吸入される。
【００２４】
【発明が解決しようとする課題】
ところで、この光ディスク装置５の先願例では、図３１に示すように、コンピュータ装置１１０の排気用ファン１１４を作動させて、コンピュータ本体１１１内の空気を外部に排出する際、光ディスク装置５のディスク装置本体６内が負圧になって、トレー出入口４、イジェクト釦８の取付穴、イマージェンシー穴６９、イヤホンジャック挿入穴７０、ボリューム７１の取付穴等の隙間から外気がディスク装置本体６内に矢印で示すように吸入されるために、外気と一緒に空気中の塵埃もディスク装置本体６内に吸入されてしまう。そして、ディスク装置本体６内に吸入された塵埃が光ディスク１の記録及び／又は再生面に付着したり、ディスクテーブル４０上や光学ピックアップ４１の対物レンズ４２上に付着堆積されると、光ディスク１へのレーザービームの照射やそのレーザービームの反射光の受光を正確に行えなくなったり、ディスクテーブル４０上にチャッキングされた光ディスク１に塵埃による傾きが生じて、対物レンズ４２のフォーカス不良が発生する等して、光ディスク１へのデータの記録及び／又は再生にミス（書込みや読取り不良）を招く。また、ディスク装置本体６内に吸入された塵埃がキャリッジ移動機構４７のガイド軸４６やギアトレイン４９等に付着堆積されると、キャリッジ４４の移動に支障が生じて、シークやトラッキングを行えなくなる等の問題が発生し易い。
【００２５】
本発明は、上記の問題を解決するためになされたものであって、塵埃が外気と一緒にトレー出入口からディスク装置本体内に吸入されることを未然に防止することができるようにしたディスク装置を提供することを目的としている。
【００２６】
【課題を解決するための手段】
上記の目的を達成するための本発明のディスク装置とコンピュータ装置は、フロントパネルにトレー出入口が形成されたディスク装置本体と、ディスク状記録媒体を上記トレー出入口から上記ディスク装置本体内にローディング及びアンローディングするディスクトレーを備えたディスク装置において、上記ディスクトレーは合成樹脂にて成形されたトレー本体とトレーフロントパネルとを備えて構成され、上記トレーフロントパネルの背面にこのトレーフロントパネルを上記トレー本体の前端に脱着可能に嵌合させる嵌合部を設け、上記ディスクトレーが上記ディスク装置本体内にローディング完了された時に、上記トレーフロントパネルの上記嵌合部が上記トレー出入口の内周内に位置され、該嵌合部にはその外周に環状に取り付けられた環状弾性体を備えたものである。
【００２７】
上記のように構成された本発明のディスク装置は、ディスクトレーは合成樹脂にて成形されたトレー本体とトレーフロントパネルとを備えて構成され、トレーフロントパネルの背面にこのトレーフロントパネルを上記トレー本体の前端に脱着可能に嵌合させる嵌合部が設けられ、その嵌合部の外周に環状に取り付けられた環状弾性体を備えていて、ディスクトレーがディスク装置本体内にローディング完了された時に、ディスク装置のフロントパネルのトレー出入口の内周内に環状弾性体が入り込んで、そのトレー出入口が密閉されるように構成されたものである。
【００２８】
【発明の実施の形態】
以下、本発明を適用した光ディスク装置の実施の形態を図１〜図１７によって説明する。なお、図１８〜図３１と同一構造部には同一の符号を付して説明の重複を省く。
【００２９】
「光ディスク装置の防塵構造の説明」
まず、図１〜図７によって、光ディスク装置５の防塵構造について説明する。即ち、図１〜図６に示すように、ディスク装置本体６のフロントパネル６０におけるトレー出入口４の外側であるそのトレー出入口４の下側に沿って長穴形状の複数の吸気口７４が横一列状（水平状）に形成されている。そして、ディスク装置本体６の下カバー６３とプリント基板６４、６５との間の隙間が吸気通路７５に形成されていて、その吸気通路７５の前端（フロントパネル６０側）が複数の吸気口７４の内側に接続されている。そして、この吸気通路７５の前端側であるフロントパネル６０に近接された位置に下カバー６３の外側（下方）に開口された複数の第１排気口７６が形成されていて、この吸気通路７５の後端（リアパネル側）には大面積で下カバー６３の外側（後方）に開口された第２排気口７７が形成されている。
【００３０】
そして、フロントパネル６０の吸気口７５の内側や吸気通路途中には集塵用フィルター７８が脱着可能に組み込まれている。また、この光ディスク装置５の出荷時には、図２に示すように、イマージェンシー穴６９の内側をシール７９によって密封しておく。なお、イマージェンシー・イジェクトを行う際には、イマージェンシー穴６９に押し込んだ細い棒状部材でそのシール７９を簡単に突き破って図２０に示したカムレバー３４を矢印ｅ方向に手動で回転して、ディスクトレー２を手動でアンローディングすることができる。また、図１及び図６に示すようにプリント基板６４、６５の継ぎ目８０や上カバー６２の切欠きや穴８１等の部分もシール８２、８３によって閉塞しておくのが好ましい。
【００３１】
従って、この光ディスク装置５を図３０に示すように、コンピュータ装置１１０におけるコンピュータ本体１１１のフロントパネル１１１ａの内側に組み込むと、複数の吸気口７４がフロントパネル１１１ａの外側に開口される一方、第１、第２排気口７６、７７がコンピュータ本体１１１内に開口される。
そこで、光ディスク装置５による光ディスク１の記録及び／又は再生中に（なお、この記録及び／又は再生中は、図１に示すように、ディスク装置本体６内にローディングされたディスクトレー２のトレーフロントパネル２ｂによってトレー出入口４が閉塞されている。）、図３０に示したコンピュータ本体１１１の排気用ファン１１４を作動して、コンピュータ本体１１１内の空気を外部へ排出すると、コンピュータ本体１１１内の負圧に伴い、図１に示すように、外気を複数の吸気口７４から吸気通路７５及び第１、第２排気口７６、７７を通してコンピュータ本体１１１内に矢印で示すように積極的に吸入することができる。
【００３２】
即ち、複数の吸気口７４の開口面積が、図１９に示したトレー出入口４のトレーフロントパネル２ｂとの間の隙間やイジェクト釦６８の取付穴、イヤホンジャック挿入穴７０、ボリューム７１の取付穴等の狭い隙間の総合開口面積よりも十分に大きく構成されており、しかも、イマージェンシー穴６９は内側で閉塞されているので、図１に示すように、外気を複数の吸気口７４から吸気通路７５及び第１、第２排気口７６、７７を通してコンピュータ本体１１１内に矢印で示すように積極的に吸入することができる。
【００３３】
従って、吸気通路７５の空気圧がディスク装置本体６内における上カバー６２とプリント基板６４、６５との間のディスクローディング用空間８４内の空気圧より高くなり、ディスク装置本体６のトレー出入口４とトレーフロントパネル２ｂとの間やイジェクト釦６８の取付穴、イヤホンジャック挿入穴７０及びボリューム７１の取付穴等の狭い空間からディスク装置本体６内のディスクローディング用空間８４への外気の吸入を大幅に抑制することができる。
【００３４】
そして、このことから、外気中の塵埃が、その外気と一緒にディスク装置本体６内のディスクローディング用空間８４内に吸入されることを極力防止することができ、その吸入された塵埃が光ディスク１の記録及び／又は再生面に付着したり、ディスクテーブル４０上や光学ピックアップ４１の対物レンズ４２上に付着堆積して、光ディスク１へのレーザービームの照射やそのレーザービームの反射光の受光を阻害したり、ディスクテーブル４０上にチャッキングされた光ディスク１に塵埃による傾きが生じて、レーザービームのフォーカス不良を発生する等して、光ディスク１へのデータの記録及び／又は再生にミス（書込みや読取り不良）を招くようなことを未然に防止することができる。また、ディスクローディング用空間８４内に吸入された塵埃がキャリッジ移動機構４７のガイド軸４６やギアトレイン４９に付着堆積して、キャリッジ４４の移動に支障を生じて、シークやトラッキングに不都合を生じるようなことも未然に防止することができて、高性能、高品質の光ディスク装置５を実現できる。
【００３５】
この際、吸気通路７５の第１排気口７６の開口面積をできるだけ大きくすると共に、この第１排気口７６をできるだけ吸気口７４に近接させておけば、吸気口７４から吸気通路７５内に吸入した塵埃を速くディスク装置本体６外へ排出することができて、吸気口７４から吸入した塵埃が吸気通路７５の途中からディスクローディング用空間８４内に回り込んで侵入することを未然に防止することができる。また、イマージェンシー穴６９をシール７９によって閉塞しておけば、そのイマージェンシー穴６９からディスクローディング用空間８４内への塵埃の吸入を未然に防止できる。また、プリント基板６４、６５の継ぎ目８０や上カバー６２の切欠きや穴８１等をシール８２、８３によって閉塞しておけば、吸気通路７５内の空気圧をディスクローディング用空間８４内の空気圧よりも一層高くすることができて、この光ディスク装置５の塵埃効果をより一層向上することができる。
【００３６】
そして、図１に示すように、プリント基板６４、６５の下面に複数の電子回路素子６６を実装し、そのプリント基板６４、６５の下面と下カバー６３との間の隙間を吸気通路７５に構成することによって、この吸気通路７５内を勢いよく流れる外気によって、複数の電子回路素子６６を空冷することができるので、ＩＣ等の電子回路素子６６の温度上昇に伴う誤作動を未然に防止することができると言う一石二鳥の効果が得られる。
【００３７】
「吸気通路の変形例の説明」
次に、図７によって、吸気通路７５の変形例について説明する。
即ち、この場合は、吸気口７４をディスク装置本体６のフロントパネル６０のトレー出入口４の外側である左右両側に形成し、シャーシ１４の左右両側板１４ａと上カバー６２の左右両側板６２ａとの間に左右一対の吸気通路７５を矢印ａ、ａ′方向と平行に形成し、これら左右一対の吸気通路７５の前端を左右一対の吸気口７４に接続させると共に、これら両吸気通路７５の後端に排気口７６を形成したものである。
【００３８】
そして、この構成によれば、左右一対の吸気通路７５をシャーシ１４の左右両側板１４ａによってディスク装置本体６内のディスクローディング用空間８４に対して完全に隔絶することができ、しかも、左右一対の吸気口７４から勢いよく吸入した外気を左右一対の吸気通路７５内を通して左右一対の排気口７６からコンピュータ本体１１１内に直接的に、スムーズに排出することができるので、塵埃が外気と一緒にディスク装置本体６内のディスクローディング用空間８４内に吸入されることをより一層確実に防止することができる。
【００３９】
「トレー出入口の密封構造の説明」
次に、図１〜図４によって、光ディスク装置５のトレー出入口４の密封構造について説明する。
即ち、まず、ディスクトレー２を構成しているトレー本体２Ａとトレーフロントパネル２Ｂはそれぞれ合成樹脂によって成形されていて、トレー本体２Ａの垂直な前面２ａの左右両端に、その前端面２ａから左右両側方に垂直状に突出された左右一対の嵌合用突片８５が一体成形されていて、その前面２ａの上縁に沿って、その前端面２ａから上方に垂直状に突出された嵌合用突片８６が一体成形されている。そして、その前端面２ａの下縁の左右両側近傍位置には左右一対の嵌合用凹部８７が成形されている。そして、トレーフロントパネル２Ｂの垂直な背面２ｂの左右両端に、嵌合用Ｌ型突片８８が相対向する垂直状に一体成形されていて、その背面２ｂの上部側の中央に１つの嵌合用突片８９が垂直状に一体成形されると共に、その背面２ｂの下部側の左右両側近傍位置には左右一対の嵌合用凸部９０が一体成形されている。そして、これら嵌合用突片８５、８６、嵌合用凹部８７、嵌合用Ｌ型突片８８、嵌合用突片８９及び嵌合用凸部９０によってトレー本体２Ａとトレーフロントパネル２Ｂとの嵌合部が構成されている。
【００４０】
なお、トレーフロントパネル２Ｂの背面２ａには左右一対の嵌合用Ｌ型突片８８及び中央上部の嵌合用突片８９の上端部間を水平に接続する水平リブ９１が一体成形されていて、その背面の水平リブ９１の下には合計４つの垂直リブ９２が一体成形されている。そして、嵌合用突片８９は水平リブ９１の中央部の下側に一体成形され、左右一対の嵌合用凸部９０が左右両側の垂直リブ９２の下端に一体成形されている。更に、このトレーフロントパネル２Ｂの背面２ｂの外周には外周リブ９３が一体成形されている。そして、左右一対の嵌合用Ｌ型突片８８及び中央上部の嵌合用突片８９は下方からアンダーカット加工されるために、外周リブ９３の下縁部分で、これらの嵌合用Ｌ型突片８８及び嵌合用Ｌ型突片８８の下部相当位置にアンダーカット加工時に発生する３つの切欠き９４が形成されている。
【００４１】
そして、トレー本体２Ａの前面２ａへトレーフロントパネル２Ｂを組み付ける際には、トレーフロントパネル２Ｂの左右一対の嵌合用Ｌ型突片８８をトレー本体２Ａの左右一対の嵌合用突片８５内に上方から平行に嵌合させることにより、中央上部の嵌合用突片８９が嵌合用突片８６の中央部に上方から嵌合されると共に、左右一対の嵌合用凸部９０がトレー本体２Ａの前面２ａを下方に乗り越えて左右一対の嵌合用凹部８７に嵌合される。そして、この嵌合状態ではトレーフロントパネル２Ｂがトレー本体２Ａに対して前後、上下、左右の何れの方向に対しても位置決めされる。
【００４２】
この際、図４の（Ｂ）に１点鎖線で示すように、予め、トレーフロントパネル２Ｂの左右両端２ｂｂを中央部より矢印ａ′方向に反らせた形状に成形しておき、トレー本体２Ａの前面２ａにこのトレーフロントパネル２Ｂを組み付ける際に、その左右両端２ｂｂを弾性に抗して矢印ａ方向に撓ませた状態で、上記のように嵌合部によって嵌合させる。すると、その組付け完了状態では、トレーフロントパネル２Ｂの左右両端２ｂｂの矢印ａ′方向への弾性反力によって、合計４つの垂直リブ９２と左右一対の嵌合用Ｌ型突片８８との間でトレー本体２Ａとトレーフロントパネル２Ｂとが矢印ａ、ａ′方向から相互に圧着されて、トレー本体２Ａにトレーフロントパネル２Ｂをガタツキの全くない状態に組み付けることができ、高品質のディスクトレー２を実現できる。
【００４３】
しかし、このディスクトレー２では、上記したように、トレーフロントパネル２Ｂの背面にアンダーカット加工時に発生する３つの切欠き９４が存在するために、トレーフロントパネル２Ｂによってディスク装置本体６のフロントパネル６０に形成されている横長開口であるトレー出入口４を簡単に密封することはできない。
【００４４】
そこで、この光ディスク装置５では、図１、図２及び図４に示すように、剪断面形状が丸形で、エンドレス状の環状弾性体９５をゴムや柔軟な合成樹脂によって成形し、その環状弾性体の外周をトレーフロントパネル２Ｂの背面で、左右一対の嵌合用Ｌ型突片８８、水平リブ９１及び３つの切欠き９４の外周を囲繞するように巻き付けた。この際、環状弾性体９５に初期引張り応力を与えた状態で巻き付けている。
【００４５】
この結果、図１及び図２に示すように、ディスクトレー２をディスク装置本体６内に矢印ａ方向からローディング完了した時に、環状弾性体９５がトレー出入口４の内周面に弾性に抗して喰い込むように圧着されると共に、その環状弾性体９５の下縁部分の３箇所が３つの切欠き９４内に弾性に抗して入り込み、そのトレー出入口４及び３つの切欠き９４を確実に密封することができた。
【００４６】
この際、環状弾性体９５の剪断面形状が丸形に形成されているので、この環状弾性体９５の外周がトレー出入口４の内周面に圧着される時の摩擦力によって、この環状弾性体９５がその丸形の軸中心の周りに容易に回ることができるので、この環状弾性体９５の外周をトレー出入口４の内周面に無理なく、しかも、確実に圧着させることができ、図２０及び図２３に示したディスクトレー２のローディングモータ２８に大きな負荷を与えることなく、トレー出入口４を確実に密封することができる。
【００４７】
そして、このように、ディスクトレー２のディスク装置本体６内へのローディング完了状態で、トレー出入口４を密封できたことによって、このトレー出入口４からディスク装置本体６内に塵埃が侵入されることを未然に防止することができて、光ディスク装置５の高い防塵効果を得ることができる。なお、環状弾性体９５はエンドレス状であるから、ディスクトレー２に対する脱着時には、この環状弾性体９５を弾性に抗して適宜に引き伸ばしながら簡単に脱落することができ、この環状弾性体９５の組立て及び部品交換等を簡単に行える。しかも、この環状弾性体９５の部品コストは非常に低額である。
【００４８】
「ディスクチャッキング機構の説明」
次に、図８及び図９によって、ディスクチャッキング機構について説明する。即ち、ディスククランパー５２が非磁性部材である合成樹脂によって円板状に成形されていて、その外周にはフランジ５３ａが一体成形されている。そして、このディスククランパー５２の中央上部には、下面が開放された円形凹部５３ｂと、その円形凹部５３ｂの中心に配置された下向きの中心ピン５３ｃとが一体成形されている。そして、その中心ピン５３ｃの外周で円形凹部５３ｂ内に環状のマグネット９７とヨーク９８が上下に重ねられた水平状態にインサート成形等によって埋設されている。但し、ヨーク９８はマグネット９７の上面に水平に重ねられている。そして、このマグネット９８の着磁方向が上下方向（中心ピン５３ｃの軸方向を言う）に構成されていて、そのマグネット９８の磁気吸引力が上下方向に作用するように構成されている。
【００４９】
そして、板金等にて形成されて、クランパー受け５２ａによってディスククランパー５３のフランジ５３ａを下方から支持するように構成されたクランパー支持部材５２の上部に磁性部材である板金によって成形された上カバー６２が水平に配置されている。即ち、ディスククランパー５３の上部に上部磁性部材を構成している上カバー６２が水平に配置されている。そして、ディスクテーブル４０及びその中央上部のセンターリングガイド４０ａが磁性部材である金属によって成形されていて、そのセンターリングガイド４０ａの中心には中心基準穴４０ｂが形成されている。
【００５０】
このように構成されたディスクチャッキング機構によれば、図８に示すように、アンローディング状態では、ディスクテーブル４０が下降位置まで矢印ｃ′方向に下降されていることから、ディスククランパー５３のマグネット９７の上下方向の磁気吸引力が上カバー６２との間に作用して、このディスククランパー５３を図９に示すチャッキング位置から上昇位置まで矢印ｂ方向に上昇させて、このディスククランパー５３を上カバー６２の下面に吸着させることができる。この際、マグネット９７の上面にヨーク９８が水平に重ねられているので、このマグネット９７から上方へ作用する磁気吸引力は、このマグネット９７から下方へ作用する磁気吸引力に比べて小さくなっている。そして、ディスククランパー５３は上部中央の円形凹部５３ｂによって上カバー６２の下面に当接されていて、その円形凹部５３ｂの肉厚によってこのマグネット９７の上方へ作用する磁気吸引力が更に弱められるので、ディスククランパー４０は弱い磁気吸引力によって上カバー６２の下面に吸着されている。
【００５１】
そして、ディスククランパー４０が上カバー６２の下面に当接された上昇位置まで矢印ｂ方向に上昇されたことによって、クランパー支持部材５２の下面とディスククランパー５３の下面との間のクリアランスＬ3 が、図２４に示した同クリアランスＬ1 に比べて、クランパー支持部材５３に対するディスククランパー５３の上昇量Ｌ4 相当分だけ小さくなっている。
【００５２】
従って、このアンローディング状態で、ディスククランパー５３の下面とディスクトレー２上に水平に載置されてローディングされる光ディスク１の上面との間のクリアランスＬ5 を、これらが相互に干渉しないための最小限の値に設定した場合のクランパー支持部材５２の下面と光ディスク１の上面との間のクリアランスＬ3 ＋Ｌ5 を、図２４に示したクランパー支持部材５２の下面と光ディスク１の上面との間のクリアランスＬ1 ＋Ｌ2 に比べて、そのディスククランパー５３の上昇量Ｌ4 相当分だけ十分に小さくすることができる。即ち、Ｌ3 ＋Ｌ5 ＋Ｌ4 ＝Ｌ1 ＋Ｌ2 であって、（Ｌ3 ＋Ｌ5 ）＜（Ｌ1 ＋Ｌ2 ）となる。この結果、光ディスク装置５全体の薄型化を促進することができた。
【００５３】
次に、図９に示すように、チャッキング時には、矢印ｃ方向に上昇されるディスクテーブル４０のセンターリングガイド４０ａが光ディスク１の中心穴１ａに下方から嵌合されて、そのディスクテーブル４０によって光ディスク１がディスクトレー２の上方に浮上されるが、その際、ディスククランパー５３のマグネット９７にディスクテーブル４０のセンターリングガイド４０ａなる磁性部材が近接されて、そのマグネット９７とセンターリングガイド４０ａとの間隔が、マグネット９７と上カバー６２との間隔より小さくなる。この結果、マグネット９７とセンターリングガイド４０ａとの間に作用する上下方向の磁気吸引力によって、ディスククランパー５３が下方である矢印ｂ′方向に吸引されて、そのディスククランパー５３がクリアランスＬ6 相当分だけ矢印ｂ′方向に下降されて、そのディスククランパー５３が光ディスク１をディスクテーブル４０上に強力にチャッキングすることになる。なお、このチャッキング時には、光ディスク１は矢印ｂ′方向に上昇されて、クランパー支持板５２の下面と光ディスク１の上面との間のクリアランスはＬ5 より小さいＬ7 となる。
【００５４】
しかも、この際、マグネット９７の下方への磁気吸引力が、上方への磁気吸引力より大きいことから、ディスククランパー５３を上カバー６２から容易に引き離して光ディスク１上に強力に圧着させることができる。従って、ディスクテーブル４０をディスククランパー５３に下方から近接又は下方へ離間させる動作によって、そのマグネット９７の上下方向の磁気吸引力によるディスククランパー５３の下降動作と、上昇動作との反転切換えを確実に行えて、ディスクテーブル４０に対する光ディスク１のチャッキング及びチャッキング解除の動作をスムーズに行える。
【００５５】
そして、この光ディスク１のチャッキング時には、ディスククランパー５３の中心ピン５３ｃがディスクテーブル４０のセンターリングガイド４０ａの中心に形成されている中心基準穴４０ｂ内に呼び込まれて、ディスククランパー５３がディスクテーブル４０の中心位置に自動的にセンターリングされる。従って、光ディスク１の記録及び／又は再生時に、ディスクテーブル４０によってディスククランパー５３と一緒に光ディスク１を高速で回転駆動する際に、ディスクテーブル４０に偏心荷重による芯振れが発生せず、光ディスク１を高速で、安定良く回転させることができる。なお、図９に示すチャッキング状態から、図８に示すチャッキング解除状態に移行する際には、ディスクテーブル４０が矢印ｃ′方向に下降されることによって、ディスククランパー５３のフランジ５３ａがクランパー支持部材５２のクランパー受け５２ａに引っかけられることになって、ディスククランパー５３がディスクテーブル４０から強制的に引き離される。
【００５６】
「ディスクトレーによるディスククランパーの押上げ構造の説明」
次に、図１０〜図１１によって、ディスクトレー２によるディスククランパー５３の押上げ構造について説明する。
即ち、ディスクトレー２のトレー本体２Ａに形成されている底面開口８の後端（矢印ａ方向側の端部）側に水平な架橋部２ａａが一体成形されていて、その架橋部２ａａの上部に左右一対の押上げ用凸部９９がそのディスクトレー２の幅方向（矢印ｇ方向）と平行状に一体成形されている。なお、これら両押上げ用凸部９９は剪断面形状がほぼ半円形状のいわゆるＲ面を有する形状に構成されている。
【００５７】
そして、図１０に示すチャッキング解除の後に、図１１に示すように、ディスクトレー２が矢印ａ′方向にアンローディングされる際、そのディスクトレー２上の両押上げ用凸部９９がディスククランパー５３の下部に矢印ａ′方向から入り込んで、その両押上げ用凸部９９によってディスククランパー５３が上方である矢印ｂ方向に強制的に押し上げられる。すると、ディスククランパー５３のマグネット９７の上下方向の磁気吸引力が上カバー６２に作用して、このディスククランパー５３が図８に示すように、上昇位置まで矢印ｂ方向に自動的に上昇されて上カバー６２の下面に水平に吸着されることになる。
【００５８】
従って、ディスクトレー２上にディスククランパー５３の押上げ用凸部９９を一体成形しただけの極めて簡単な構成によって、ディスクトレー２のアンローディング時に、ディスククランパー５３を上昇位置まで確実に上昇させることができ、その後におけるローディング時に、光ディスク１がディスククランパー５３と干渉されることを未然に防止することができて、高い安全性及び信頼性を確保できる。
【００５９】
「ディスクトレーガイド機構の説明」
次に、図１３〜図１７によって、ディスクトレーガイド機構について説明する。
即ち、このディスクトレーガイド機構では、まず、ディスクトレー２のトレー本体２Ａにおける左右一対のガイドレール９の下面に２種類のスライドガイド溝１０１、１０２が矢印ａ、ａ′方向と平行に形成されている。そして、一方のスライドガイド溝１０１は小さい溝幅Ｗ11のガイド溝主部１０１ａと、そのガイド溝主部１０１ａの前後両端（矢印ａ、ａ′方向の両端部）に形成された大きい溝幅Ｗ12（即ち、Ｗ11＜Ｗ12）の一対のガイド溝副部１０１ｂ、１０１ｃとによって構成された変則形状に構成されている。そして、他方のカライドガイド溝１０２は、上記ガイド溝主部１０１ａの溝幅と等しい溝幅Ｗ11で、フラット形状に構成されている。
【００６０】
そして、シャーシ１４の底部１４ｂの左右両側に沿って矢印ａ、ａ′方向と平行な２列状に一体成形されている複数のメインガイドリブ１０３Ａ、１０３Ｂ、１０３Ｃと、１種類のサブガイドリブ１０４によって構成されている。そして、ディスクトレー２の一方のスライドガイド溝１０１と対向される側には、２種類で、合計３個のメインガイドリブ１０３Ａ、１０３Ｂ、１０３Ｃと、２個のサブガイドリブ１０４が一列状に配置されていて、他方のスライドガイド溝１０２と対向される側には４〜６個のサブガイドリブ１０４が一列状に配置されている。
【００６１】
この際、２個のメインガイドリブ１０３Ａ、１０３Ｂと１個のメインガイドリブ１０３Ｃ及びサブガイドリブ１０４の矢印ａ、ａ′方向に対して直角な横方向の幅がそれぞれＷ13、Ｗ14、Ｗ15（即ち、１０３＝Ｗ13、１０４＝Ｗ14、１０５＝Ｗ15）であって、これらの幅Ｗ13、Ｗ14、Ｗ15と、２種類のスライドガイド溝１０１、１０２におけるガイド溝主部１０１ａの溝幅Ｗ11及び両ガイド副部１０１ｂの溝幅Ｗ12との関係が、Ｗ15＜Ｗ13＜Ｗ14、Ｗ11≦Ｗ13＜Ｗ12、Ｗ12≧Ｗ14＞Ｗ11、Ｗ15＜Ｗ11に構成されている。
【００６２】
そして、小さい幅Ｗ13の２個のメインガイドリブ１０３Ａ、１０３Ｂがディスク装置本体６のフロントパネル６０側であるトレー出入口４に近接された位置に前後方向（矢印ａ、ａ′方向）に小間隔Ｌ11で一列状に配置されていて、大きい幅Ｗ14の１個のメインガイドリブ１０３Ｃがディスク装置本体６のリアパネル６１に近接された位置に配置されていて、２個のメインガイドリブ１０３Ａ、１０３Ｃとの間に２個のサブガイドリブ１０４が配置されている。従って、これら２種類のメインガイドリブ１０３Ａと１０３Ｃはシャーシ１４の前後方向（矢印ａ、ａ′方向）の両端に大間隔Ｌ12を隔てて配置されていて、その大間隔Ｌ12は２個のメインガイドリブ１０３Ａと１０３Ｂの小間隔Ｌ11の数倍の大きさに構成されている。なお、複数の浮き防止用ガイドリブ１０５は前述同様に左右一対のガイドレール９の上部位置に沿わせて、シャーシ１４の左右両側板１４ａの内側一体成形されている。
【００６３】
以上のように構成されたディスクテーブルガイド機構によれば、ディスクトレー２の左右一対のスライドガイド溝１０１、１０２のうちの一方のスライドガイド溝１０１を合計３個のメインガイドリブ１０３Ａ、１０３Ｂ、１０３Ｃ及び２個のサブガイドリブ１０４側にスライド自在に係合させ、他方のスライドガイド溝１０２を４〜６個のサブガイドリブ１０４側にスライド自在に係合させ、左右一対のガイドレール９を複数の浮き防止用ガイドリブ１０６の下部に挿入した状態で、合計３個のメインガイドリブ１０３Ａ、１０３Ｂ、１０３Ｃによってディスクトレー２の矢印ｇ方向のガタツキを防止すると共に、全ガイドリブ１０３Ａ、１０３Ｂ、１０３Ｃ、１０４によってディスクトレー２の高さを規制しながら、これら全ガイドリブ１０３Ａ、１０３Ｂ、１０３Ｃ、１０４によって両スライドガイド溝１０１、１０２を平行状に案内するようにして、このディスクトレー２をディスク装置本体６内に対して矢印ａ、ａ′方向にスムーズにスライド、即ち、ローディング及びアンローディングすることができるように構成されている。
【００６４】
この際、この光ディスク装置５では、図１４に示すように、ディスクトレー２がディスク装置本体６外へ矢印ａ′方向にアンローディング完了された時に、ディスクトレー２のトレー本体２Ａの後端側（矢印ａ方向側の端部）の左右両側面に一体成形されている左右一対のストッパー当接用突起１０６がシャーシ１４の左右両側板１４ａの内側でトレー出入口４側に一体成形されている左右一対のストッパー１０７に当接されて停止される。そして、この時、図１６に示すように、ディスクトレー２の一方のスライドガイド溝１０１の後端側のガイド溝副部１０１ｃがトレー出入口４側に配置されている２個のメインガイドリブ１０３Ａ、１０３Ｂのうちの後側（矢印ａ方向側）のメインガイドリブ１０３Ｂの手前で停止される。従って、このディスクトレー２のアンローディング完了状態では、その２個のメインガイドリブ１０３Ａ、１０３Ｂにスライドガイド溝１０１におけるガイド溝主部１０１ａの後端側（矢印ａ方向側の端部）が係合されていて、これら２個のメインガイドリブ１０３Ａ、１０３Ｂの幅Ｗ13と、ガイド溝主部１０１ａの溝幅Ｗ11とのＷ13≧Ｗ11の関係によって、ディスクトレー２の幅方向（矢印ｇ方向）のガタツキが防止されることになる。
【００６５】
次に、図１５に示すように、ディスクトレー２がディスク装置本体６内へ矢印ａ方向にローディング完了された時には、図２０で示したピニオン２９とラック１０の円弧部１０ｂとの関係で、ディスクトレー２が停止される。そして、この時、図１７に示すように、ディスクトレー２の一方のスライドガイド溝１０１の後端側のガイド溝副部１０１ｃがリアパネル６１側に配置されている１個のメインガイドリブ１０３Ｃに矢印ａ方向から係合されると共に、そのスライドガイド溝１０１の前端側のガイド溝副部１０１ｂがトレー出入口４に最も近接されているメインガイドリブ１０３Ａに矢印ａ方向から係合される。
【００６６】
従って、この時には、メインガイドリブ１０３Ｂがスライドガイド溝１０１のガイド溝主部１０１ａの前端側（矢印ａ′方向側）に係合されると共に、メインガイドリブ１０３Ｃが後端側のガイド溝副部１０１ｃに係合されたことになる。そして、これら２個のメインガイドリブ１０３Ｂ、１０３Ｃの幅Ｗ13、Ｗ14と、ガイド溝主部１０１ａ及びガイド溝副部１０１ｃの溝幅Ｗ11、Ｗ12が、Ｗ13≦Ｗ11、Ｗ14≦Ｗ12の関係によって、ディスクトレー２の幅方向（矢印ｇ方向）のガタツキが防止される。
【００６７】
しかも、この際、メインガイドリブ１０３Ｂと１０３Ｃの間隔が大間隔Ｌ12に構成されていることから、大間隔Ｌ12離れた２点であるディスクトレー２の前後両端にて、２個のメインガイドリブ１０３Ｂ、１０３Ｃによって幅方向（矢印ｇ方向）のガタツキを抑えることができる。従って、ディスクトレー２にこじれ等が全く発生せず、ディスクトレー２をローディング完了位置にて幅方向に高精度に位置決めする。
【００６８】
しかも、スライドガイド溝１０１の後端側のガイド溝副部１０１ｃの長さＬ14がメインガイドリブ１０３Ｃの長さより十分に長く構成されているので、ディスクトレー２のディスク装置本体６内への矢印ａ方向からのローディング時において、そのディスクトレー２が図１５に示したローディング完了位置に達する手前から、図１７に示すように、スライドガイド溝１０１の後端側のガイド溝副部１０１ｃがメインガイドリブ１０３Ｃに係合されることになる。従って、２個のメインガイドリブ１０３Ｂ、１０３Ｃによるディスクトレー２の前後両端での幅方向の位置決め機能が、そのディスクトレー２のローディング完了時点より少し早めに開始される。
【００６９】
このことは、ディスクトレー２によって光ディスク１をディスク装置本体６内にローディングして、光ディスク１をディスクテーブル４０上にチャッキングするまでの一連のローディング動作中において、ディスクテーブル４０に対する光ディスク１の位置決め精度の向上につながり、光ディスク１をディスクテーブル４０に常に高精度にチャッキングすることができて、そのチャッキングミスの防止効果を一段と向上させている。
【００７０】
「光ディスクの記録及び／又は再生中のディスクトレーのガタツキ防止構造の説明」
次に、図１２、図１３及び図１５によって、光ディスク１の記録及び／又は再生中にディスクトレー２にガタツキが生じることを防止するための構造について説明する。
即ち、合成樹脂によって成形されているディスクトレー２のトレー本体２Ａの後端側（矢印ａ方向側の端部側）の一側部には、弾性変形可能な弾性作用部１０８が一体成形されている。そして、この弾性作用部１０８の側面に相対的に押圧される側圧付加用凸部１０９がシャーシ１４の一方の側板１４ａの内側で、リアパネル６１に近接された位置に一体成形されている。
【００７１】
従って、図１５に示すように、ディスクトレー２がディスク装置本体６内に矢印ａ方向からローディング完了された時に、その弾性作用部１０８の後端（矢印ａ方向側の端部）の側面が、弾性に抗して側圧付加用凸部１０９の先端に乗り上げる。すると、この弾性作用部１０８の弾性反発力である側圧Ｆがディスクトレー２に加えられて、ディスクトレー２の図１７に示した一方のスライドガイド溝１０１のガイド溝主部１０１ａとガイド溝副部１０１ｃの一方の側面で２個のメインガイドリブ１０３Ｂ、１０３Ｃに側圧Ｆによって圧着されて固定される。
【００７２】
この結果、ディスクトレー２のローディング完了状態では、ディスク装置本体６内でのディスクトレー２のガタツキはゼロ状態に抑えられ、光ディスク１の記録及び／又は再生中にディスクトレー２がガタついてノイズを発生したり、そのガタツキによって合成樹脂の摩耗による削れ粉の発生や部品の破損を招くようなことを未然に防止することができ、高品質及び高耐久性の光ディスク装置５を実現することができる。
【００７３】
以上、本発明の実施の形態に付き述べたが、本発明は上記した実施の形態に限定されることなく、本発明の技術的思想に基づき各種の変更が可能である。
【００７４】
【発明の効果】
以上のように構成された本発明のディスク装置とコンピュータ装置は、次のような効果を奏する。
【００７５】
請求項１のディスク装置は、ディスクトレーは合成樹脂にて成形されたトレー本体とトレーフロントパネルとを備えて構成され、トレーフロントパネルの背面にこのトレーフロントパネルを上記トレー本体の前端に脱着可能に嵌合させる嵌合部が設けられ、その嵌合部の外周に環状に取り付けられた環状弾性体を備えていて、ディスクトレーがディスク装置本体内にローディング完了された時に、ディスク装置のフロントパネルのトレー出入口の内周内に環状弾性体が入り込んで、そのトレー出入口が密閉されるように構成されているので、塵埃が外気と一緒にトレー出入口からディスク装置本体内に吸入されることを未然に防止することができて、高い防塵効果を実現することができものでありながら、環状弾性体は合成樹脂にて成形されたディスクトレーのトレーフロントパネルをトレー本体の前端に脱着可能に嵌合する嵌合部の外周に環状に取り付けられるので、その環状弾性体のディスクトレーに対する脱着が容易である。従って、環状弾性体を含むディスクトレー全体の組立て及び分解を容易に行え、ディスクドライブ装置の生産性が高く、環状弾性体等の部品交換も容易に行える。
【００７６】
請求項２のディスク装置は、環状弾性体の剪断面形状を丸形に形成したので、ディスクトレーのローディング時に、ローディングモータに大きな負荷を与えずに、トレー出入口を内側から無理なく、確実に密封することができて、信頼性が高い。
【００７７】
請求項３のディスク装置は、合成樹脂にて成形されたディスクトレーのトレーフロントパネルをトレー本体の前端にそのディスクトレーのローディング及びアンローディング方向に対して直角な方向から脱着可能に嵌合させる嵌合部を備え、剪断面形状が丸形の環状弾性体をトレーフロントパネルの背面で、その嵌合部の外周に巻き付けらて、その嵌合部の外周を密封しつつトレー出入口を内側から密封するように構成されているので、ディスクトレーのトレー本体に対するトレーフロントパネルの組立て及び分解と、ディスクトレーに対する環状弾性体の組立て及び分解をより一層簡単に行える上に、ディスクトレーのローディング時に、ローディングモータに大きな負荷を与えずに、トレー出入口を内側から無理なく、確実に密封することができて、信頼性が高い。
【００７８】
請求項４のコンピュータ装置は、防塵機能を備えたディスク装置をコンピュータ本体内に組み込んで、そのディスク装置のフロントパネルのトレー出入口の下部に形成された吸気口をコンピュータ本体のフロントパネルの外側に開口させたので、コンピュータ本体内に吸入される外気中の塵埃がディスク装置のディスク装置本体内に吸入され難く、ディスク装置の防塵性を一層向上することができる。
【図面の簡単な説明】
【図１】本発明を適用した光ディスク装置の防塵構造を説明する断面側面図である。
【図２】図１の要部の拡大断面側面図である。
【図３】図１の光ディスク装置のフロントパネルの正面図である。
【図４】図１のディスクトレーのトレーフロントパネルの背面図及びＡ−Ａ断面図である。
【図５】図１の下カバーの平面図及びＢ−Ｂ断面図である。
【図６】図１の上下カバーとプリント基板の分解斜視図である。
【図７】本発明を適用した光ディスク装置の防塵構造を説明する一部切欠き平面図である。
【図８】本発明を適用した光ディスク装置のディスクチャッキング機構におけるチャッキング解除状態を示した一部切欠き側面図である。
【図９】同上のディスクチャッキング機構のチャッキング状態を示した一部切欠き側面図である。
【図１０】同上のディスクチャッキング機構のチャッキング解除時におけるディスククランパーの垂れ下り状態を示した一部切欠き側面図である。
【図１１】図９の垂れ下り状態のディスククランパーをディスクトレー上の押上げ用凸部によって押し上げるようすを示した一部切欠き側面図である。
【図１２】図９の押上げ用凸部を備えたディスクトレーの斜視図である。
【図１３】本発明を適用した光ディスク装置のディスクトレーガイド機構を説明するディスクトレーの下面図である。
【図１４】同上のディスクトレーガイド機構のディスクトレーのアンローディング状態を示した一部切欠き平面図である。
【図１５】同上のディスクトレーガイド機構のディスクトレーのローディング状態を示した一部切欠き平面図である。
【図１６】同上のディスクトレーガイド機構のディスクトレーのアンローディング状態におけるメインガイドリブとスライドガイド溝との位置関係を示した一部切欠き平面図である。
【図１７】同上のディスクトレーガイド機構のディスクトレーのローディング状態におけるメインガイドリブとスライドガイド溝との位置関係を示した一部切欠き斜視図である。
【図１８】先願例の光ディスク装置全体のアンローディング時の斜視図である。
【図１９】同上の光ディスク装置全体のローディング時の斜視図である。
【図２０】同上の光ディスク装置におけるローディング機構を説明する一部切欠き平面図である。
【図２１】同上の光ディスク装置のディスクテーブル、ディスクトレー及びディスククランパーの分解斜視図である。
【図２２】同上の光ディスク装置におけるヘッド移動機構と昇降フレームを説明する分解斜視図である。
【図２３】同上の光ディスク装置におけるローディング機構とシャーシを説明する分解斜視図である。
【図２４】同上の光ディスク装置におけるアンローディング時の断面側面図である。
【図２５】同上の光ディスク装置におけるローディング時の断面側面図である。
【図２６】同上の光ディスク装置におけるディスクトレーの下面図である。
【図２７】同上の光ディスク装置におけるディスクトレーガイド機構を説明するアンローディング時の一部切欠き平面図である。
【図２８】同上のディスクトレーガイド機構のローディング時の一部切欠き平面図である。
【図２９】同上のディスクガイド機構のディスクトレーとシャーシの断面正面図である。
【図３０】同上の光ディスク装置が組み込まれたコンピュータ装置の斜視図である。
【図３１】同上の光ディスク装置のケーシングを説明する断面側面図である。
【符号の説明】
１はディスク状記録媒体である光ディスク、２はディスクトレー、２Ａはトレー本体、２Ｂはトレーフロントパネル、４はトレー出入口、５はディスク装置である光ディスク装置、６はディスク装置本体である。
【図１】
0003814945.tif 000002
【図２】
0003814945.tif 000003
【図３】
0003814945.tif 000004
【図４】
0003814945.tif 000005
【図５】
0003814945.tif 000006
【図６】
0003814945.tif 000007
【図７】
0003814945.tif 000008
【図８】
0003814945.tif 000009
【図９】
0003814945.tif 000010
【図１０】
0003814945.tif 000011
【図１１】
0003814945.tif 000012
【図１２】
0003814945.tif 000013
【図１３】
0003814945.tif 000014
【図１４】
0003814945.tif 000015
【図１５】
0003814945.tif 000016
【図１６】
0003814945.tif 000017
【図１７】
0003814945.tif 000018
【図１８】
0003814945.tif 000019
【図１９】
0003814945.tif 000020
【図２０】
0003814945.tif 000021
【図２１】
0003814945.tif 000022
【図２２】
0003814945.tif 000023
【図２３】
0003814945.tif 000024
【図２４】
0003814945.tif 000025
【図２５】
0003814945.tif 000026
【図２６】
0003814945.tif 000027
【図２７】
0003814945.tif 000028
【図２８】
0003814945.tif 000029
【図２９】
0003814945.tif 000030
【図３０】
0003814945.tif 000031
【図３１】
0003814945.tif 000032